(57)【特許請求の範囲】
【請求項１】
圃場のホールクロップ用穀稈を刈取る刈取部と、刈取った穀稈をロールベールに形成するローラベーラ部とを備えたホールクロップ収穫機において、
前記刈取部が、高速回転しながら前記穀稈を叩き切るフレール形刈取部であり、該フレール形刈取部の前方に倒伏穀稈を引起すリール式穀稈引起し装置を前記フレール形刈取部の全幅にわたって設けたことを特徴とするホールクロップ収穫機。
【請求項２】
前記リール式穀稈引き起こし装置の地上高さを調節可能な昇降シリンダを備えることを特徴とする、請求項１に記載のホールクロップ収穫機。
【発明の詳細な説明】
【０００１】
【発明の属する技術分野】
本発明は、圃場に生育する飼料イネや麦類など刈取ると同時に、ロールベールに形成するホールクロップ収穫機に関する。
【０００２】
【発明が解決しようとする課題】
この種ホールクロップ収穫機に用いられる穀稈引起し装置は通常の自脱形コンバインに条刈用引起し装置を用いているが、刈取ってからローラベーラ部に搬送されるまでの姿勢も一定保持されるため、ロールベールに形成されたときに例えば子実部分と茎の部分とが左右に分離し、飼料品質（発酵ムラ）などに悪影響を与えている。また条刈用引起し装置の場合、田植機による条植付や直播条播機による播種が必須で、省力化が期待できる散播方式には対応できないという不都合があった。
【０００３】
【課題を解決するための手段】
したがって本発明は、圃場のホールクロップ用穀稈を刈取る刈取部と、刈取った穀稈をロールベールに形成するローラベーラ部とを備えたホールクロップ収穫機において、刈取部が、高速回転しながら穀稈を叩き切るフレール形刈取部であり、そのフレール形刈取部の前方に倒伏穀稈を引起すリール式穀稈引起し装置をフレール形刈取部の全幅にわたって設けたことを特徴とする。これにより、刈取部全幅に亘る全面刈りを可能とさせて、条播及び散播ばかりでなく、刈取後水分調整のため予乾した飼料イネの収穫や、麦或いは牧草の収穫にも広く対応させて、この収穫機の稼動率をアップし低コスト化を図るもので、倒伏したイネなど穀稈もリール式穀稈引起し装置によって確実に収穫して、穀稈の収穫率を向上させるものである。
【０００４】
また、フレールモア形の切断機構を刈取部に設けて、結実前の青刈りイネの他、子実付のホールクロップ用イネも細断しながら均一な混合を可能とさせて、飼料品質（発酵ムラ）を良好とさせると共に、例えば混合時に生ずる籾表面のすり傷（コンディショニング）によって、子実部分の発酵を促進させてより良質な飼料などを容易に得るものである。さらに、リール式穀稈引き起こし装置の地上高さを調節可能な昇降シリンダを備えるので、倒伏したイネの状況に合わせてリール式穀稈引き起こし装置の地上高さを変更し、適切に刈取り作業を行うものである。
【０００５】
【発明の実施の形態】
以下、本発明の実施例を図面に基づいて詳述する。図１は全体の側面図、図２は同平面図、図３は同正面図を示し、図中（１）は走行クローラ（２）を有する機台、（３）は機台（１）に搭載するロールベーラ部、（４）は機台（１）前部右側に配設して運転席（５）及び丸形操向ハンドル（６）など運転操作部（７）を備える運転台、（８）は運転席（５）の右側を保護する右サイドフレーム、（９）は機台（１）前方に昇降シリンダ（１０）を介し昇降可能に装設するフレール形刈取部、（１１）は刈取部（９）の前方に配設する穀稈引起し装置であるリール、（１２）は前記リール（１１）下方の左右両側に配設する分草板である。
【０００６】
そして、結実前のイネや子実付のホールクロップ（貯蔵飼料）イネなどの穀稈（Ａ）を前記リール（１１）及び分草板（１２）によって掻込むもので、立毛状態の良好な穀稈（Ａ）はリール（１１）で穂先部を軽く押え、倒伏した穀稈（Ａ）はリール（１１）で引起すと共に、刈取側と未刈側の穀稈（Ａ）を分草板（１２）で分離させて、刈取部（９）に良好に穀稈（Ａ）を送り込み案内させるように構成している。
【０００７】
また、前記刈取部（９）の下端側には水平回転軸（１３）に装着させる切断機構であるフレール刃（１４）と、該フレール刃（１４）前方に配設する穀稈押えバー（１５）とを備え、前記リール（１１）を介し刈取部（９）に送り込まれる穀稈が、バー（１５）によって前方に押し曲げられるとき、稈元側をフレール刃（１４）の高速回転によってたたき切ってはね上げ、縦長のカバー（１６）内を上方に移動させて、放出ガイド（１７）を介しロールベーラ部（３）前側の投入ガイド（１８）に刈取穀稈を放出させるように構成している。
【０００８】
そして、投入ガイド（１８）に放出された藁草など刈取穀稈（Ａ）は、ロールベーラ部（３）のベール形成室（１９）の対向状に配設するベール形成部材（２０）（２１）の駆動によってロール状のベール（Ｂ）に穀稈（Ａ）を圧縮形成し、ベール（Ｂ）形成完了後はベール（Ｂ）外周に結束機構（２２）により紐巻き結束を施し、結束後は開放自在に設ける後ベーラ部（２３）を上方に開放して、ベーラ部（３）後方にベール（Ｂ）を放出するように構成している。なお、（２４）は後ベーラ部（２３）を開閉動作する開閉シリンダである。また（２５）は前記リール（１１）の支持高さを変更調節するリール昇降シリンダであり、該リール（１１）は回転数の変更調節も可能とさせたものである。
【０００９】
本実施例は上記の如く構成するものにして、フレール刈取部（９）によって、結実前の青刈りイネや子実付のホールクロップ用イネを細断しながら均一に混合させ、また混合中籾の表面にすり傷をうける（コンディショニング）状態とさせることによって、子実部分の発酵も促進させ、良質の飼料などを容易に得ることができるもので、刈取部（９）前方のリール（１１）によって倒伏したイネも良好に刈取部（９）に取入れて刈取ることができる。
【００１０】
また、リール（１１）やフレール刃（１４）による全面刈り構造のため、条播や散播の他、刈取り後水分調整のため予乾した飼料イネや麦、牧草の収穫作業にも対応させることができて、多用途の使用でこの収穫機の稼動率をアップさせ、低コスト化を促進させることができる。
【００１１】
なお、前記丸形操向ハンドル（６）は走行及び旋回用無段変速機構に連動連結して、該ハンドル（６）操作による旋回時にはハンドル（６）の操作角度に応じ左右クローラ（２）（２）の回転速度を無段階に差動させて、スムーズな旋回を可能とさせるものである。
【００１２】
【発明の効果】
以上実施例から明らかなように本発明は、圃場のホールクロップ用穀稈（Ａ）を刈取る刈取部（９）と、刈取った穀稈（Ａ）をロールベール（Ｂ）に形成するローラベーラ部（３）とを備えたホールクロップ収穫機において、刈取部（９）が、高速回転しながら穀稈（Ａ）を叩き切るフレール形刈取部であり、そのフレール形刈取部の前方に倒伏穀稈（Ａ）を引起すリール式穀稈引起し装置（１１）をフレール形刈取部の全幅にわたって設けたものであるから、刈取部（９）全幅に亘る全面刈りを可能とさせて、条播及び散播ばかりでなく、刈取後水分調整のため予乾した飼料イネの収穫や、麦或いは牧草の収穫にも広く対応させて、この収穫機の稼動率をアップし低コスト化を図るもので、倒伏したイネなど穀稈もリール式穀稈引起し装置（１１）によって確実に収穫して、穀稈の収穫率を向上させることができるものである。
【００１３】
また、フレールモア形の切断機構（１４）を刈取部（９）に設けたものであるから、結実前の青刈りイネの他、子実付のホールクロップ用イネも細断しながら均一な混合を可能とさせて、飼料品質（発酵ムラ）を良好とさせると共に、例えば混合時に生ずる籾表面のすり傷（コンディショニング）によって、子実部分の発酵を促進させてより良質な飼料などを容易に得ることができるものである。さらに、リール式穀稈引き起こし装置の地上高さを調節可能な昇降シリンダを備えるので、倒伏したイネの状況に合わせてリール式穀稈引き起こし装置の地上高さを変更し、適切に刈取り作業を行うことができる。
【図面の簡単な説明】
【図１】収穫機の側面図。
【図２】収穫機の平面図。
【図３】収穫機の正面図。
【図４】収穫機の側面説明図。
【符号の説明】
（３）    ローラベーラ部
（９）    刈取部
（１１）  リール（引起し装置）
（１４）  フレール刃（切断機構）
（Ａ）    穀稈
（Ｂ）    ベール
【図１】
0004574001.tif 000002
【図２】
0004574001.tif 000003
【図３】
0004574001.tif 000004
【図４】
0004574001.tif 000005